(57)【特許請求の範囲】
【請求項１】
通帳の磁気記録部に書き込まれた磁気情報を読取可能な磁気情報読取手段と、通帳の各行に書き込まれた印字情報を光学的に読取可能な光学読取手段とを備えた通帳用行検知装置において、
前記通帳の磁気記録部に最終印字行の情報が書き込まれているか否かを判断する手段と、
この判断手段による判断結果に基づいて、前記磁気記録部に最終印字行の情報が書き込まれていないと判断された場合には最終印字行情報が書き込まれていると判断された場合よりも前記光学読取手段の読取感度を上げる読取感度調整手段とを設けたことを特徴とする通帳用行検知装置。
【発明の詳細な説明】
【０００１】
【発明の属する技術分野】
本発明は、通帳に書き込まれた磁気情報を読取可能な磁気情報読取手段と、通帳の各行に書き込まれた印字情報を光学的に読取可能な光学読取手段とを備えた通帳用行検知装置に関する。
【０００２】
【従来の技術】
1つの通帳の中でも、取引の種類によって最終印字行が磁気情報として書き込まれている場合と、書き込まれていない場合とがある。
【０００３】
ここにおいて、最終印字行が磁気情報として書き込まれている場合は、この取引で印字を開始する行を該磁気情報と光学読取り結果による最終印字行との一致を取って決定するものとしている。
【０００４】
一方、最終印字行が磁気情報として書き込まれていない場合は、光学読取手段による光学読取り結果のみに基づいて最終印字行を決定し、該最終印字行に基づき印字開始行を決定する。したがって、一段と高精度に行検知する必要がある。
【０００５】
ここに、通帳は、種々の通帳プリンタを用いて印字されるので、印字濃度が薄い場合がある。かかる場合に、通帳に印字された数字等を検出できずに最終印字行が誤って決定されてしまうと、印字されている行に二重に印字してしまうという致命的なミスが生じることがある。
【０００６】
かかる重大ミスの発生を未然に防止するために、常時、読取感度の高い光学読取手段で光学読取りすることが考えられる。しかし、これでは最終印字行が磁気情報として書き込まれている場合に、通帳に比較的濃度の高いゴミが付着していたり、裏写り文字が比較的鮮明に見えている場合には、かかるゴミ等を正規に印字された数字等と同様に光学的に読取ってしまうことになる。
【０００７】
本発明の目的は、取引の種類によって最終印字行が通帳に磁気情報として書き込まれている場合には通帳に付着したゴミや裏写り文字等を光学的に読取ってしまうのを防止することができ、かつ最終印字行が磁気情報として書き込まれていない場合には二重印字してしまうのを確実に防止することができる通帳用行検知装置を提供することにある。
【０００８】
【課題を解決しようとする手段】
本発明は、通帳の磁気記録部に書き込まれた磁気情報を読取可能な磁気情報読取手段と、通帳の各行に書き込まれた印字情報を光学的に読取可能な光学読取手段とを備えた通帳用行検知装置において、前記通帳の磁気記録部に最終印字行の情報が書き込まれているか否かを判断する手段と、この判断手段による判断結果に基づいて、前記磁気記録部に最終印字行の情報が書き込まれていないと判断された場合には最終印字行情報が書き込まれていると判断された場合よりも前記光学読取手段の読取感度を上げる読取感度調整手段とを設けたことを特徴とするものである。
【０００９】
かかる発明では、取引の種類によって最終印字行が磁気情報として書き込まれていない場合には、最終印字行が書き込まれている場合よりも光学読取手段の読取感度が上げられるので、通帳の各行に印字された数字等の濃度が薄くても確実に光学的に読取ることができる。したがって、最終印字行を正確に検知して二重印字を完全に防止することができる。
【００１０】
なお、最終印字行が磁気情報として書き込まれている場合には、上記した二重印字を防止できることはもとより、光学読取手段の読取感度を上げないので、例えば最終印字行より先の行に濃度の高いゴミがあったり、通帳の裏側の文字等が写し出されていた場合でも、ゴミ等を光学的に読取ってしまうのを確実に防止することができる。
【００１１】
【発明の実施の形態】
本発明の実施形態を、図面を参照して説明する。
【００１２】
本通帳用行検知装置は、図１〜図３に示す如く、基本的構成は従来例と同様とされているが、読取感度調整手段（７１，７２）を設け、通帳の磁気記録部に最終印字行の情報が書き込まれていない場合には書き込まれている場合よりも光学読取手段１０の読取感度を上げる構成とされている。
【００１３】
まず、図１に示す制御手段７０は、本通帳用行検知装置全体を駆動制御する手段であり、ＣＰＵ７１、プログラムＲＯＭ７２、プログラムＲＡＭ７３、イメージＲＡＭ７４、キーボード７５、入出力装置（Ｉ／Ｏ）７６等から構成されている。入出力装置７６には、印字手段１、光学読取手段１０（ＣＣＤ１１）、磁気情報読取手段２０等が接続されている。
【００１４】
ここにおいて、印字手段１は、通帳に印字をする印字ヘッド２と、印字ヘッドドライバ２Ｄと、印字ヘッド２を移動させるための印字ヘッド移動用モータ７Ｍと、モータドライバ７Ｄとを含み形成されている。
【００１５】
また、光学読取手段１０は、ＣＣＤ１１と、ＣＣＤコントローラ１１Ｄとを含み、通帳類の各行を光学的に読取可能に形成されている。
【００１６】
また、磁気情報読取手段２０は、磁気ヘッド２１と磁気ドライバ２１Ｄとを含み、通帳類の磁気記録部（磁気ストライプ）に最終印字行等の磁気情報を読み書き可能に形成されている。
【００１７】
本発明の特徴部である読取感度調整手段は、取引の種類によって通帳の磁気記録部に最終印字行の情報が書き込まれていない場合には書き込まれている場合よりも光学読取手段１０（ＣＣＤ１１等）の読取感度を上げる手段である。この実施形態では、読取感度調整手段は、読取り感度調整プログラムを格納したプログラムＲＯＭ７２と、ＣＰＵ７１と、読取感度設定器（図示省略）とを含み、光学読取手段１０の読取感度を調整可能に形成されている。
【００１８】
すなわち、図３に示すＣＣＤ１１の出力電圧（Ｖ１，Ｖ２）に対するスレッシュホールドＶｔｈの設定を変更することにより読取り感度を調整するものとしている。ここにおいて、スレッシュホールドＶｔｈを低くすれば（印字を検知するスライスレベルを濃度の高い方に設定すれば）読取り感度が下がり、高くすれば（スライスレベルを濃度の低い方に設定すれば）読取り感度が上がる。
【００１９】
次に、この実施形態の作用を図２に示すフローチャートに基づき説明する。
【００２０】
取引の種類によって最終印字行が通帳に磁気情報として書き込まれていない場合（ＳＴ１０のＮＯ）には、最終印字行が書き込まれている場合よりも光学読取手段１０（１１）の読取感度が上げられる。すなわち、濃度低いスライスレベルに設定された（ＳＴ１２）後、通帳の各行が光学読取手段１０（１１）で読取られる。したがって、通帳の各行に印字された数字等の濃度が薄くても確実に光学的に読取ることができ、その結果最終印字行を正確に検知して二重印字を完全に防止することができる。
【００２１】
なお、最終印字行が磁気情報として書き込まれている場合（ＳＴ１０のＹＥＳ）には、スライスレベルが濃度の高い方に設定された（ＳＴ１１）後、通帳の各行が光学読取手段１０（１１）で読取られる。したがって、例えば最終印字行より先の行に濃度の高いゴミがあったり、通帳の裏側の文字等が写し出されていた場合でも、ゴミ等を光学的に読取ってしまうのを確実に防止することができる。
【００２２】
しかして、この実施形態によれば、取引の種類によって通帳の磁気記録部に最終印字行の情報が書き込まれていない場合には書き込まれている場合よりも光学読取手段１０（１１）の読取感度を上げる読取感度調整手段（７１，７２）を設けたので、最終印字行が磁気情報として書き込まれていない取引記帳の場合に、最終印字行を正確に検知して二重印字を完全に防止することができる。また、最終印字行が磁気情報として書き込まれている取引記帳の場合には、上記した二重印字を防止できることはもとより、例えば最終印字行より先の行に濃度の高いゴミがあったり、通帳の裏側の文字等が写し出されていた場合でも、ゴミ等を光学的に読取ってしまうのを確実に防止することができる。
【００２３】
【発明の効果】
本発明によれば、取引の種類によって通帳の磁気記録部に最終印字行の情報が書き込まれているか否かを判断する手段と、この判断手段による判断結果に基づいて、前記磁気記録部に最終印字行の情報が書き込まれていないと判断された場合には書き込まれていると判断された場合よりも光学読取手段の読取感度を上げる読取感度調整手段とを設けたので、取引の種類によって最終印字行が通帳に磁気情報として書き込まれている場合には通帳に付着したゴミや裏写り文字等を光学的に読取ってしまうのを防止することができ、かつ最終印字行が磁気情報として書き込まれていない場合には二重印字してしまうのを確実に防止することができる。
【図面の簡単な説明】
【図１】本発明の実施形態を説明するための図である。
【図２】同じく、動作を説明するためのフローチャートである。
【図３】同じく、読取感度調整を説明するための図である。
【符号の説明】
１０ 光学読取手段
１１ ＣＣＤ
２０ 磁気情報読取手段
７１ ＣＰＵ（読取感度調整手段）
７２ プログラムＲＯＭ（読取感度調整手段）
【図１】
0003839147.tif 000002
【図２】
0003839147.tif 000003
【図３】
0003839147.tif 000004